(57)【要約】【課題】  簡素な処理でＨＤ映像及びＳＤ映像の特殊再生を行うことができる再生装置及び再生方法を提供する。【解決手段】  再生部１０４は、磁気テープ１０３に記録された、映像信号を符号化した通常再生用画像データと、この通常再生用画像データの一部を用いて生成された特殊再生用データと、を選択して再生する。特殊再生用データ処理部１０６は、再生部１０４により再生された特殊再生用データを、当該特殊再生用データのそれよりも１画面当たりの画素数が多い第１の画像信号（ＳＤ映像信号）に変換する。映像信号処理部１０８は、第１の画像信号を、当該第１の画像信号のそれよりも１画面当たりの画素数が多い第２の画像信号（ＨＤ映像信号）に変換する。Ｄ／Ａ部１１０は、第１の画像信号をアナログ信号に変換して出力する。Ｄ／Ａ部１１１は、第２の画像信号をアナログ信号に変換して出力する。【選択図】  図１
2007036388.tif 000002
【特許請求の範囲】
【請求項１】
記録媒体に記録された、映像信号を符号化した通常再生用画像データと、前記通常再生用画像データの一部を用いて生成された特殊再生用データと、を選択して再生する再生手段と、
前記再生手段により再生された前記特殊再生用データを、当該特殊再生用データよりも１画面当たりの画素数が多い第１の画像信号に変換する第１の変換手段と、
前記第１の画像信号を、当該第１の画像信号よりも１画面当たりの画素数が多い第２の画像信号に変換する第２の変換手段と、
前記第１の画像信号を出力する第１の出力手段と、
前記第２の画像信号を出力する第２の出力手段と、
を有することを特徴とする再生装置。
【請求項２】
前記第１の画像信号は、５２５ｉ／６０システム又は６２５ｉ／５０システムの映像信号であることを特徴とする請求項１に記載の再生装置。
【請求項３】
前記第２の画像信号は、１０８０ｉ／６０システム又は１０８０ｉ／５０システムの映像信号であることを特徴とする請求項１又は２に記載の再生装置。
【請求項４】
前記第２の変換手段は、前記第１の画像信号の画素を間引くことにより当該第１の画像信号よりも１画面当たりの画素数が少ない第３の画像信号を生成し、前記第３の画像信号を前記第２の画像信号に変換することを特徴とする請求項１乃至３のいずれか１項に記載の再生装置。
【請求項５】
前記第１の変換手段は、前記特殊再生用データをオーバーサンプリングすることにより前記第１の画像信号を生成することを特徴とする請求項１乃至４のいずれか１項に記載の再生装置。
【請求項６】
前記第１の変換手段は、ＩＴＵ−Ｒ  ＢＴ．６５６に準拠したディジタル・ビデオ・インターフェースにより前記第２の変換手段に対して前記第１の画像信号を出力することを特徴とする請求項１乃至５のいずれか１項に記載の再生装置。
【請求項７】
前記記録媒体は、磁気テープであることを特徴とする請求項１乃至６のいずれか１項に記載の再生装置。
【請求項８】
記録媒体に記録された、映像信号を符号化した通常再生用画像データと、前記通常再生用画像データの一部を用いて生成された特殊再生用データと、を選択して再生する再生ステップと、
前記再生ステップにおいて再生した前記特殊再生用データを、当該特殊再生用データよりも１画面当たりの画素数が多い第１の画像信号に変換する第１の変換ステップと、
前記第１の画像信号を、当該第１の画像信号よりも１画面当たりの画素数が多い第２の画像信号に変換する第２の変換ステップと、
前記第１の画像信号及び前記第２の画像信号を出力する出力ステップと、
を有することを特徴とする再生方法。
【請求項９】
記録媒体に記録された、映像信号を符号化した通常再生用画像データと、前記通常再生用画像データの一部を用いて生成された特殊再生用データと、を選択して再生する再生手段を有する再生装置の制御をコンピュータに実行させるプログラムであって、
前記再生手段により再生された前記特殊再生用データを、当該特殊再生用データよりも１画面当たりの画素数が多い第１の画像信号に変換する第１の変換手順と、
前記第１の画像信号を、当該第１の画像信号よりも１画面当たりの画素数が多い第２の画像信号に変換する第２の変換手順と、
前記第１の画像信号及び前記第２の画像信号を出力する出力手順と、
を前記コンピュータに実行させることを特徴とするプログラム。
【発明の詳細な説明】
【技術分野】
【０００１】
本発明は、磁気テープ等に記録された映像データの再生に好適な再生装置及び再生方法に関する。
【背景技術】
【０００２】
映像データをＭＰＥＧ（Moving Picture Expert Group）方式で符号化し、磁気テープへ記録する記録再生装置においては、主画像データと特殊再生（早送り再生、巻戻し再生等）用データとは、夫々個別の領域へ記録される。例えば、特許文献１に記載の磁気テープ記録装置にあるように、符号化された主画像の内、ＩピクチャのＤＣＴブロックにおけるＤＣＴ係数からＤＣ成分を抽出することで、符号量が固定化された特殊再生用データが得られる。このような特殊再生用データを再生する場合、一般に特殊再生用画像を再度ＭＰＥＧストリームへ変換し、復号化することで再生画像が得られる。
【０００３】
また、現状では、ＨＤ（High Definition）映像の出力が可能な記録再生装置においては、ＳＤ（Standard Definition）のみ表示可能なテレビモニターへの接続を考慮して、ＨＤ映像信号出力手段だけでなくＳＤ映像出力手段を備えている場合が多い。このため、ＨＤ映像が記録された磁気テープを再生する場合であってもＳＤ映像が再生される。これは、通常再生時だけでなく特殊再生時も同様である。
【０００４】
【特許文献１】特開２００１−２９８７０６号公報
【発明の開示】
【発明が解決しようとする課題】
【０００５】
しかしながら、特殊再生時にＨＤ映像及びＳＤ映像を同時に再生する場合、従来の装置では、次のような処理が必要とされる。即ち、特殊再生用画像を一端ＭＰＥＧストリームへ変換し、そのＭＰＥＧストリームをデコードして得られた特殊再生画像を再度ダウンコンバートし、主画像とは異なる解像度の特殊再生映像を生成するという処理が必要である。このような処理は、ハード面でもソフト面でも複雑である。
【０００６】
本発明は、簡素な処理でＨＤ映像及びＳＤ映像の特殊再生を行うことができる再生装置及び再生方法を提供することを目的とする。
【課題を解決するための手段】
【０００７】
本願発明者は、前記課題を解決すべく鋭意検討を重ねた結果、以下に示す発明の諸態様に想到した。
【０００８】
本発明に係る再生装置は、記録媒体に記録された、映像信号を符号化した通常再生用画像データと、前記通常再生用画像データの一部を用いて生成された特殊再生用データと、を選択して再生する再生手段と、前記再生手段により再生された前記特殊再生用データを、当該特殊再生用データよりも１画面当たりの画素数が多い第１の画像信号に変換する第１の変換手段と、前記第１の画像信号を、当該第１の画像信号よりも１画面当たりの画素数が多い第２の画像信号に変換する第２の変換手段と、前記第１の画像信号を出力する第１の出力手段と、前記第２の画像信号を出力する第２の出力手段と、を有することを特徴とする。
【０００９】
本発明に係る再生方法は、記録媒体に記録された、映像信号を符号化した通常再生用画像データと、前記通常再生用画像データの一部を用いて生成された特殊再生用データと、を選択して再生する再生ステップと、前記再生ステップにおいて再生した前記特殊再生用データを、当該特殊再生用データよりも１画面当たりの画素数が多い第１の画像信号に変換する第１の変換ステップと、前記第１の画像信号を、当該第１の画像信号よりも１画面当たりの画素数が多い第２の画像信号に変換する第２の変換ステップと、前記第１の画像信号及び前記第２の画像信号を出力する出力ステップと、を有することを特徴とする。
【００１０】
本発明に係るプログラムは、記録媒体に記録された、映像信号を符号化した通常再生用画像データと、前記通常再生用画像データの一部を用いて生成された特殊再生用データと、を選択して再生する再生手段を有する再生装置の制御をコンピュータに実行させるプログラムであって、前記再生手段により再生された前記特殊再生用データを、当該特殊再生用データよりも１画面当たりの画素数が多い第１の画像信号に変換する第１の変換手順と、前記第１の画像信号を、当該第１の画像信号よりも１画面当たりの画素数が多い第２の画像信号に変換する第２の変換手順と、前記第１の画像信号及び前記第２の画像信号を出力する出力手順と、を前記コンピュータに実行させることを特徴とする。
【発明の効果】
【００１１】
本発明によれば、煩雑な処理を行うことなく簡素な映像処理のみで、第１の画像信号（低解像度）及び第２の画像信号（高解像度）の特殊再生を実行することができる。
【発明を実施するための最良の形態】
【００１２】
以下、本発明の実施形態について添付の図面を参照して具体的に説明する。図１は、本発明の実施形態に係る磁気テープ再生装置の構成を示すブロック図である。本実施形態には、ＳＤ映像出力部及びＨＤ映像出力部が設けられている。ＳＤ映像出力部は、５２５ｉ／６０システム（以下、ＳＤ６０という）又は６２５ｉ／５０システム（以下、ＳＤ５０という）の映像出力を行う。一方、ＨＤ映像出力部は、１０８０ｉ／６０システム（以下、ＨＤ６０という）又は１０８０ｉ／５０システム（以下、ＨＤ５０という）の映像出力を行う。また、再生対象の磁気テープは、映像信号をＭＰＥＧ２方式のＭＰ＠Ｈ−１４で符号化された通常再生用のデータ及び特殊再生用のデータが記録されたものである。なお、通常再生用データ及び特殊再生用データは、互いに磁気テープ上で独立した記録領域に記録されているものとする。更に、特殊再生用データは特殊再生時において高速にテープを搬送した際に磁気ヘッドが走査する走査軌跡に従う領域に記録されているものとする。また、特殊再生用データの１フレーム分のデータは、複数の部分に分割されて磁気テープ上の離散した記録領域に記録されているものとする。
【００１３】
本実施形態に係る磁気テープ再生装置には、操作部１０１、ＣＰＵ１０２、再生部１０４、データ分離部１０５、特殊再生用データ処理部（第１の変換手段）１０６、ＲＡＭ１０７、映像信号処理部（第２の変換手段）１０８、表示部１０９、ＳＤ映像用のデジタルアナログ変換（Ｄ／Ａ）部１１０、ＨＤ用のデジタルアナログ変換（Ｄ／Ａ）部１１１及び通常再生復号化処理部１１２が設けられている。
【００１４】
操作部１０１は、少なくとも通常再生の指示及び特殊再生の指示が入力可能に構成されている。ＣＰＵ１０２は、ＲＯＭ等の記憶媒体に記憶されたプログラムに基づいて、データ分離部１０５及び映像信号処理部１０８等の磁気テープ再生装置全体の制御を行う。再生部１０４は、磁気テープ１０３に記録されている映像データを再生する。データ分離部１０５は、ＣＰＵ１０２からの指示に基づいて、再生部１０４から出力された映像データ（再生データ）から通常再生用データ又は特殊再生用データを分離して出力する。
【００１５】
特殊再生用データ処理部１０６は、データ分離部１０５から出力された特殊再生用データを、一旦ＲＡＭ１０７に格納し、１フレーム分の特殊再生用データを取得した段階で拡大処理を行う。一方、通常再生復号化処理部１１２は、データ分離部１０５から出力された通常再生用データをＭＰＥＧ方式に従って復号して出力する。
【００１６】
映像信号処理部１０８は、特殊再生用データ処理部１０６又は通常再生復号化処理部１１２による処理後の映像データに対して、解像度の変換等の画像処理を行う。表示部１０９は、映像信号処理部１０８から出力された映像データを表示する。Ｄ／Ａ部１１０及び１１１は、映像信号処理部１０８から出力されたデジタル信号をアナログ信号に変換して出力する。
【００１７】
次に、上述のように構成された本実施形態に係る磁気テープ再生装置の動作について説明する。
【００１８】
先ず、通常再生時の動作について説明する。
【００１９】
ＣＰＵ１０２は、操作部１０１から通常再生の指示を示す信号を受け取ると、再生部１０４に磁気テープ１０３に記録されている映像データを再生させる。再生部１０４は、再生した映像データ（再生データ）をデータ分離部１０５に出力する。次に、データ分離部１０６は、入力された再生データから通常再生用データを分離して通常再生復号化処理部１１２に供給する。
【００２０】
通常再生復号化処理部１１２は、供給された通常再生用データをＭＰＥＧ方式に従って復号した後、映像信号処理部１０８に供給する。映像信号処理部１０８は、供給された通常再生用データを表示部１０９の解像度（画素数）に応じて縮小して出力し、表示部１０９がこれを表示する。また、映像信号処理部１０８は、通常再生用データをＨＤ解像度のデジタル映像信号としてＨＤ用のＤ／Ａ部１１１に出力すると共に、通常再生用データをＳＤ映像信号の解像度に変換した後、ＳＤ用のＤ／Ａ部１１０に出力する。そして、Ｄ／Ａ部１１０は、ＳＤ解像度のアナログ映像信号を出力する。また、Ｄ／Ａ部１１１は、ＨＤ解像度のアナログ映像信号を出力する。
【００２１】
次に、特殊再生時の動作について説明する。
【００２２】
ＣＰＵ１０２は、操作部１０１から特殊再生の指示を示す信号を受け取ると、再生部１０４に通常再生時よりも高速で磁気テープ１０３を搬送させながら映像データを再生させる。再生部１０４は、高速再生により取得した映像データ（再生データ）をデータ分離部１０５に出力する。データ分離部１０５は、入力された再生データから特殊再生用データを分離して特殊再生用データ処理部１０６に供給する。
【００２３】
特殊再生用データ処理部１０６は、供給された特殊再生用データをＲＡＭ１０７に一旦格納する。特殊再生用データは、１フレームが複数の部分に分割されてテープ上の離散した記録領域に記録されているため、これらの記録領域より順次再生された特殊再生用データがＲＡＭ１０７に格納されることとなる。そして、特殊再生用データ処理部１０６は、１フレーム分の特殊再生用データを取得した段階で拡大処理を行う。
【００２４】
ここで、特殊再生用データをＳＤ６０又はＳＤ５０の特殊再生映像信号に拡大する方法について説明する。
【００２５】
特殊再生用データは、符号化された主画像（通常再生用）データのＩピクチャのＤＣＴブロックからＤＣ成分の係数のみを抽出して生成される。このため、図２に示すように、特殊再生用データは、水平方向１４４０÷８＝１８０サンプル、垂直方向１０８８÷８＝１３６ライン（有効映像領域１３５ライン）の４：２：０コンポーネント信号で構成されると考えることができる。
【００２６】
従って、ＳＤ６０の場合、４：２：０コンポーネント信号（特殊再生用映像信号）から４：２：２コンポーネント信号へ変換した１フレーム分の特殊再生用データとＳＤ６０における１フィールド内の有効映像領域との解像度比は、次のようになる。即ち、輝度信号Ｙ及び色差信号Ｃｂ／Ｃｒの解像度比は、いずれも水平方向１：４、垂直方向９：１６となる。この解像度比から座標マッピングを行うと、水平方向に関しては、特殊再生用データの１サンプルに対して４サンプル分ホールドすることで４倍に拡大可能である。また、垂直方向に関しては、図３ａに示すように、拡大したラインをホールドすることで特殊再生用データ９ラインから１６ラインに拡大することが可能であり、これを同じ周期で１５回繰り返すことでＳＤ６０再生画像１フィールドへの拡大が可能となる。このように、本実施形態では、特殊再生用データをオーバーサンプリングすることで拡大を行う。
【００２７】
また、ＳＤ５０の場合、４：２：０コンポーネント信号から４：２：２コンポーネント信号へ変換した１フレーム分の特殊再生用データとＳＤ５０における１フィールド内の有効映像領域との解像度比は、次のようになる。即ち、輝度信号Ｙ及び色差信号Ｃｂ／Ｃｒ信号の解像度比、いずれも水平方向１：４、垂直方向１５：３２となる。この解像度比から座標マッピングを行うと、水平方向に関しては、特殊再生用データ１サンプルに対して４サンプル分ホールドすることで４倍に拡大可能である。また、垂直方向に関しては、図３ｂに示すように、拡大したラインをホールドすることで特殊再生用データ１５ラインから３２ラインに拡大することが可能であり、これを同じ周期で９回繰り返すことでＳＤ５０再生画像１フィールドへの拡大が可能となる。
【００２８】
特殊再生用データ処理部１０６は、このような拡大処理によって取得した特殊再生用映像信号（第１の画像信号）を、ＩＴＵ−Ｒ  ＢＴ．６５６に準拠した形式でタイミング・リファレンス・コードを付加し、４：２：２コンポーネント信号として映像信号処理部１０８に供給する。
【００２９】
そして、映像信号処理部１０８は、供給された映像信号を表示部１０９へ出力すると共に、ＳＤ用のＤ／Ａ部１１０に出力する。続いて、Ｄ／Ａ部１１０がアナログ映像信号に変換し、ＳＤ映像信号（ビデオ信号）として出力する。
【００３０】
また、映像信号処理部１０８は、特殊再生用データ処理部１０６から供給された特殊再生用映像信号をサブサンプリングすることにより、特殊再生用データを抽出する。このとき、特殊再生用映像信号は、図３ａ及び図３ｂに示すように、特殊再生用データを零次ホールド法により拡大した映像信号に相当している。このため、特殊再生用映像信号のサブサンプリングを行うことにより、元の特殊再生用データを抽出することが可能である。
【００３１】
特殊再生用データがＳＤ６０の特殊再生映像に拡大されている場合には、図３ａに示すように、拡大されているため、図４ａに示すように、１６ラインから９ラインについて水平方向４画素毎に１画素をサブサンプリングする。そして、これを同じ周期で１５回繰り返すことで１フレーム分の特殊再生用データが抽出される。一方、また、特殊再生用データがＳＤ５０の特殊再生映像に拡大されている場合には、図３ｂに示すように、拡大されているため、図４ｂに示すように、３２ラインから１５ラインについて水平方向４画素毎に１画素をサブサンプリングする。そして、これを同じ周期で１５回繰り返すことで１フレーム分の特殊再生用データが抽出される。
【００３２】
映像信号処理部１０８は、このようにして取得した特殊再生用データの各画素を水平方向へ８画素分ホールドする。また、各ラインを垂直方向へ８ラインホールド（フィールド毎に４ラインずつホールド）する。この結果、特殊再生用データが、ＨＤ６０又はＨＤ５０の特殊再生映像信号、即ち通常再生用サイズの特殊再生映像信号（第２の画像信号）へと拡大される。そして、映像信号処理部１０８は、この特殊再生映像信号をＨＤ用のＤ／Ａ部１１１に出力する。続いて、Ｄ／Ａ部１１１がアナログ映像信号に変換し、ＨＤ映像信号（ビデオ信号）として出力する。
【００３３】
以上のように、本実施形態によれば、簡易な映像信号処理によって、特殊再生時にＳＤ６０又はＳＤ５０の特殊再生映像と、ＨＤ６０又はＨＤ６０の特殊再生映像とを得ることができる。
【００３４】
なお、磁気テープに映像データを記録する記録部が再生装置に設けられていてもよい。また、磁気テープ以外の記録媒体が用いられてもよい。
【００３５】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００３６】
【図１】本発明の実施形態に係る磁気テープ再生装置の構成を示すブロック図である。
【図２】特殊再生用データを示す図である。
【図３ａ】特殊再生用データを特殊再生画像ＳＤ６０へ拡大する方法を示す図である。
【図３ｂ】特殊再生用データを特殊再生画像ＳＤ５０へ拡大する方法を示す図である。
【図４ａ】特殊再生画像ＳＤ６０から特殊再生用データを抽出する方法を示す図である。
【図４ｂ】特殊再生画像ＳＤ５０から特殊再生用データを抽出する方法を示す図である。
【符号の説明】
【００３７】
１０１：操作部
１０２：ＣＰＵ
１０３：磁気テープ
１０４：再生部
１０５：データ分離部
１０６：特殊再生用データ処理部
１０７：ＲＡＭ
１０８：映像信号処理部
１０９：表示部
１１０、１１１：Ｄ／Ａ部
１１２：通常再生復号化処理部
【図１】
2007036388.tif 000003
【図２】
2007036388.tif 000004
【図３ａ】
2007036388.tif 000005
【図３ｂ】
2007036388.tif 000006
【図４ａ】
2007036388.tif 000007
【図４ｂ】
2007036388.tif 000008